(57)【要約】【課題】  陳列什器の内部空間を有効に利用しうるとともに、陳列しようとする商品の大きさや数量等に応じて、陳列態様を多様に、しかも簡単に変化させることができるようにした、簡単な構造の商品陳列什器を提供する。【解決手段】底板２と、その前端部から起立し、後面に複数の突条８、９が設けられた前面板３と、底板２の後端部から起立し、前面に複数の突条１０、１１が設けられた後面板４と、底板２の上面における前後方向の中間部に設けられた左右方向を向く差し込み溝１３と、差し込み溝１３に下端部を嵌合することにより、底板２上にほぼ垂直に立設され、底板２上を前後に仕切る仕切板１４と、仕切板１４の片面に突設され、仕切板１４の向きを変えることにより、先端部が、突条８〜１１のいずれかに係合するようにした棚板１５とを備えるものとする。【選択図】  図２
2012161381.tif 000002
【特許請求の範囲】
【請求項１】
底板と、
前記底板の前端部から起立し、後面に複数の係合部が互いに上下方向に離間させて設けられた前部支持部材と、
前記底板の後端部から起立し、前面に複数の係合部が互いに上下方向に離間させて設けられた後部支持部材と、
前記底板の上面における前後方向の中間部に設けられた左右方向を向く差し込み溝と、
前記差し込み溝に下端部を嵌合することにより、前記底板上にほぼ垂直に立設され、底板上を前後に仕切る仕切板と、
前記仕切板の片面における上下方向の中央より上下いずれかに離れた部位に突設され、前記仕切板を上下反転および／または前後反転させることにより、先端部が、前記前部支持部材の後面におけるいずれかの係合部、または前記後部支持部材の前面におけるいずれかの係合部に係合するようにした棚板
とを備えることを特徴とする商品陳列什器。
【請求項２】
底板の上面に前後１対の上向き突部を設けることにより、それらの間に差し込み溝を形成した請求項１記載の商品陳列什器。
【請求項３】
前部支持部材におけるいずれかの係合部と、後部支持部材におけるいずれかの係合部とを等高とし、かつそれらの係合部間の間隔を、仕切板を水平としたときにその両端部が前記両係合部に係合する関係とした請求項１または２記載の商品陳列什器。
【請求項４】
前部支持部材を前面板、後部支持部材を後面板とし、かつそれらを互いに上方に向かって前後方向に拡開するようにして底板に設けた請求項１〜３のいずれかに記載の商品陳列什器。
【発明の詳細な説明】
【技術分野】
【０００１】
本発明は、スーパーマーケット等において、青果物等の商品を陳列する商品陳列什器に関する。
【背景技術】
【０００２】
商品陳列什器には、青果物等の商品の大きさや数量等に応じて、陳列態様を多様に変化させることができるようにしたものがある(例えば特許文献１〜４参照)。
【先行技術文献】
【特許文献】
【０００３】
【特許文献１】特許第４５１４０９９号公報
【特許文献２】特許第３６３２３６３号公報
【特許文献３】特許第４０５９４４７号公報
【特許文献４】特許第４０６２５８９号公報
【発明の概要】
【発明が解決しようとする課題】
【０００４】
しかし、上述のような従来の商品陳列什器においては、陳列台の上面に、階段状の商品陳列面を形成したり、水平とした陳列台の上面に、商品を立て掛けるための枠体や仕切板等を載置するようにしたものが多く、陳列台の内部空間を有効に利用しうるものは少なかった。
【０００５】
本発明は、従来の技術が有する上記のような問題点に鑑みてなされたもので、陳列什器の内部空間を有効に利用しうるとともに、陳列しようとする商品の大きさや数量等に応じて、陳列態様を多様に、しかも簡単に変化させることができるようにした、簡単な構造の商品陳列什器を提供することを目的としている。
【課題を解決するための手段】
【０００６】
本発明によると、上記課題は、次のようにして解決される。
（１）底板と、前記底板の前端部から起立し、後面に複数の係合部が互いに上下方向に離間させて設けられた前部支持部材と、前記底板の後端部から起立し、前面に複数の係合部が互いに上下方向に離間させて設けられた後部支持部材と、前記底板の上面における前後方向の中間部に設けられた左右方向を向く差し込み溝と、前記差し込み溝に下端部を嵌合することにより、前記底板上にほぼ垂直に立設され、底板上を前後に仕切る仕切板と、前記仕切板の片面における上下方向の中央より上下いずれかに離れた部位に突設され、前記仕切板を上下反転および／または前後反転させることにより、先端部が、前記前部支持部材の後面におけるいずれかの係合部、または前記後部支持部材の前面におけるいずれかの係合部に係合するようにした棚板とを備えるものとする。
【０００７】
このような構成とすると、仕切板を上下反転および／または前後反転させるだけで、底板上の空間を仕切板によって前後に仕切るだけでなく、棚板を、仕切板より前方の空間における低位置もしくは高位置、または仕切板より後方の空間における低位置もしくは高位置の４段階の態様に選択して配置することができる。
したがって、陳列しようとする商品の大きさや数量等に応じて、陳列態様を多様に、しかも簡単に変化させることができる。
さらに、部品点数を少なくでき、構造を簡素化することができる。
【０００８】
（２）上記(１)項において、底板の上面に前後１対の上向き突部を設けることにより、それらの間に差し込み溝を形成する。
【０００９】
このような構成とすると、底板に溝加工を施すことなく、底板上に差し込み溝を簡単に形成することができるとともに、仕切板の前後方向への傾倒を防止することができる。
【００１０】
（３）上記(１)または(２)項において、前部支持部材におけるいずれかの係合部と、後部支持部材におけるいずれかの係合部とを等高とし、かつそれらの係合部間の間隔を、仕切板を水平としたときにその両端部が前記両係合部に係合する関係とする。
【００１１】
このような構成とすると、仕切板を水平として、前部支持部材と後部支持部材との対向面間の全域に跨る棚板とすることができる。
しかも、このとき、仕切板の片面に突設された棚板を上向きとすると、その棚板を前後の空間を仕切る仕切板として使用することができるとともに、このときの仕切板の前後の向きを反転させることにより、棚板によって仕切られる前後の空間の大小を変更することもできる。
さらに、棚板が下方を向くようにして、仕切板を水平に架設すると、そのときの仕切板の上面全体を商品陳列面として広く使用することができる。
【００１２】
（４）上記(１)〜(３)項のいずれかにおいて、前部支持部材を前面板、後部支持部材を後面板とし、かつそれらを互いに上方に向かって前後方向に拡開するようにして底板に設ける。
【００１３】
このような構成とすると、互いに上方に向かって前後方向に拡開する前面板と後面板との間の空間に、商品を、上方に向かって広がるように収容することができるので、収容能力および陳列効果を高めることができる。
【発明の効果】
【００１４】
本発明によると、陳列什器の内部空間を有効に利用しうるとともに、陳列しようとする商品の大きさや数量等に応じて、陳列態様を多様に、しかも簡単に変化させることができるようにした、簡単な構造の商品陳列什器を提供することができる。
【図面の簡単な説明】
【００１５】
【図１】本発明の商品陳列什器の第１の実施形態における仕切板を外したときの斜視図である。
【図２】棚板を前下方に位置させて、仕切板を起立状態で保持したときの図１のII−II線における縦断側面図である。
【図３】棚板を前上方に位置させて、仕切板を起立状態で保持したときの図２と同様の縦断側面図である。
【図４】棚板を後下方に位置させて、仕切板を起立状態で保持したときの図２と同様の縦断側面図である。
【図５】棚板を後上方に位置させて、仕切板を起立状態で保持したときの図２と同様の縦断側面図である。
【図６】棚板を上方に向けて、仕切板を水平状態で上段に保持したときの図２と同様の縦断側面図である。
【図７】棚板を下方に向けて、仕切板を水平状態で上段に保持したときの図２と同様の縦断側面図である。
【図８】棚板を上方に向けて、仕切板を水平状態で下段に保持したときの図２と同様の縦断側面図である。
【図９】本発明の商品陳列什器の第２の実施形態における、棚板を前下方に位置させて、仕切板を起立状態で保持したときの図２と同様の縦断側面図である。
【発明を実施するための形態】
【００１６】
以下、本発明の第１の実施形態を、図１〜図８を参照して説明する。
図１および図２に示すように、この商品陳列什器は、平面視方形枠状としたベース１と、このベース１上に設けられた水平の底板２と、底板２の前端より起立する前面板３と、底板２の後端より起立する後面板４と、底板２、前面板３、および後面板４、並びにそれらによって形成される左右方向の空間の両側端を閉塞する両側板５、５とからなる、上面が開口する筐体６を備えている。
筐体６内における左右方向の中間部には、前後方向を向く中仕切板７が設けられているが、この中仕切板７は省略して実施することもある。
【００１７】
前面板３と後面板４とは、それぞれ後述する仕切板１４または棚板１５を支持するための前部支持部材と後部支持部材となっており、互いに上方に向かって前後方向に拡開するようにしてベース１上に設けられている。すなわち、前面板３は前傾し、後面板４は後傾している。
【００１８】
後面板４は、前面板３より若干高寸であり、それに伴って、両側板５、５の上縁および中仕切板７の上縁は、前下がりに傾斜させてある。
【００１９】
前面板３の後面には、後部上面に凹入段部８ａが設けられた左右方向を向く突条８と、単なる角材状の左右方向を向く突条９とが、互いに上下方向に離間させて設けられている。
【００２０】
後面板４の前面には、前部上面に凹入段部１０ａが設けられた左右方向を向く突条１０と、単なる角材状の左右方向を向く突条１１とが、前面板３における突条８、９と対向するように、かつそれと等高をなすようにして、互いに上下方向に離間させて設けられている。
【００２１】
突条８〜１１は、後述する棚板１５や仕切板１４の端部を係止する係合部をなしている。
【００２２】
底板２の上面における前後方向の中央部には、垂直板状の前後１対の上向き突部１２、１２が設けられ、この両上向き突部１２、１２間に、後述する仕切板１４を差し込むための差し込み溝１３が形成されている。
【００２３】
この差し込み溝１３に、上下方向を向く仕切板１４の下端部を上方より嵌合することにより、仕切板１４は、底板２上にほぼ垂直に立設され、底板２上を前後に仕切ることがきるようになっている。
【００２４】
図２に示すように、仕切板１４の上下方向の長さＡ１は、前後の突条８、１０における凹入段部８ａ、１０ａの外端部間の間隔Ａ２、および前後の突条９、１１の上面の外端部間の間隔Ａ３と同一としてある。
また、仕切板１４の左右方向の幅は、中仕切板７と側板５との対向面間の間隔とほぼ同一としてある。
【００２５】
仕切板１４の片面における上下方向の中央より上下いずれかに離れた部位には、棚板１５が、Ｌ形金具１６をもって、仕切板１４に対して直角をなすようにして
突設されている。
【００２６】
図２に示す状態での棚板１５の前後方向の長さＢは、仕切板１４の厚さをＴとしたとき、２Ｂ＋Ｔ＝Ａ１の関係が成り立つようにしてある。
また、仕切板１４に対する棚板１５の取付位置は、図２に示す状態での仕切板１４の下端から棚板１５の下面までの距離が、底板２の上面から下段の突条９、１１の上面までの高さＨ１と一致し、かつ同じく仕切板１４の上端から棚板１５の上面までの距離が、底板２の上面から上段の突条８、１０の凹入段部８ａ、１０ａの上面までの高さＨ２と一致するような関係としてある。
さらに、棚板１５の左右方向の幅は、仕切板１４の左右方向の幅と同じく、中仕切板７と側板５との対向面間の間隔とほぼ同一としてある。
【００２７】
図２に示す状態での仕切板１４の上端に近い部位における左右方向の中央部には、仕切板１４を持ち上げるための指掛け孔１７が設けられている。
【００２８】
かくして、仕切板１４を上下反転および／または前後反転させて、下端部を差し込み溝１３に嵌合させるだけで、底板２上の空間を、仕切板１４をもって前後に仕切ることができるだけでなく、図２に示すように、棚板５の先端部を、前方の下段の突条９の上面に係合させることにより、棚板５を前方の空間における低位置に水平に配置したり、図３に示すように、棚板５の先端部を、前方の上段の突条８の凹入段部８ａに係合させることにより、棚板５を前方の空間における高位置に水平に配置したり、図４に示すように、棚板５の先端部を、後方の下段の突条１１の上面に係合させることにより、棚板５を後方の空間における低位置に水平に配置したり、図５に示すように、棚板５の先端部を、後方の上段の突条１０の凹入段部１０ａに係合させることにより、棚板５を後方の空間における高位置に水平に配置したりすることができる。
【００２９】
また、仕切板１４の上下方向の長さＡ１は、前後の突条８、１０における凹入段部８ａ、１０ａの外端部間の間隔Ａ２、および前後の突条９、１１の上面の外端部間の間隔Ａ３と同一としてあるので、図６に示すように、仕切板１４を水平として、その前後の端部を、前後の上段の突条８、１０における凹入段部８ａ、１０ａに係止することにより、仕切板１４を、前面板３と後面板４との対向面間の全域に跨る棚板とすることができる。
【００３０】
しかも、このとき、仕切板１４の片面に突設された棚板１５を上向きとすると、その棚板１５を前後の空間を仕切る仕切板として使用することができるとともに、このときの仕切板１４の前後の向きを反転させることにより、棚板１５によって仕切られる前方の空間を、図６に実線で示すように大としたり、図６に２点鎖線で示すように小としたりすることができる。
【００３１】
図７に示すように、棚板１５が下方を向くようにして、仕切板１４の前後の端部を、前後の上段の突条８、１０における凹入段部８ａ、１０ａに係止すると、仕切板１４の上面全体を商品陳列面として広く使用することができる。
【００３２】
さらに、図８に示すように、棚板１５を上向きとして、仕切板１４の前後の端部を、前後の下段の突条９、１１上に係止すると、仕切板１４を、筐体６内の深い位置で水平として商品を受支することができる。
【００３３】
このときも、仕切板１４の前後の向きを反転させることにより、棚板１５によって仕切られる前方の空間を、図８に実線で示すように大としたり、図８に２点鎖線で示すように小としたりすることができる。
【００３４】
なお、図７に示すように、棚板１５を上向きとして、仕切板１４を水平に保持したときも、仕切板１４の前後の向きを反転させることにより、棚板１５の前後位置を、図７に実線で示す後方位置としたり、同じく２点鎖線で示す前方位置としたりすることができるが、この場合は、陳列商品を仕切るわけではないので、どの位置とするかは、さほど重要ではない。
【００３５】
以上から明らかなように、本発明の商品陳列什器によると、陳列しようとする商品の大きさや数量等に応じて、陳列態様を多様に、しかも簡単に変化させることができる。
また、部品点数を少なくでき、構造を簡素化することができる。
【００３６】
上記第１の実施形態のように、前部支持部材を前面板３、後部支持部材を後面板４とし、かつそれらを互いに上方に向かって前後方向に拡開するようにして底板２に設けると、商品を、上方に向かって広がるように収容することができるので、収容能力および陳列効果を高めることができる。
【００３７】
しかし、図９に示す本発明の第２の実施形態のように、前部支持部材である前面板２３と、後部支持部材を後面板２４とを、互いに平行な垂直板として、底板２に設けてもよい。
この場合は、上段の前後の突条２８、３０を、下段の突条２９、３１と同様の角材により、簡単に形成することができる。
【００３８】
この第２の実施形態は、長さが若干異なる長尺の青果物等の商品を、垂直とした仕切板１４の前後に振り分けて、短いものは前方または後方に、長いものは後方または前方に、それぞれ立て掛けて陳列するのに適している。
第２の実施形態におけるその他の構成は、第１の実施形態と同一であり、それらについては、同一の部材に同一の符号をもって図示するに止め、詳細な説明は省略する。
【００３９】
本発明は、上記実施形態のみに限定されるものではなく、特許請求の範囲を逸脱しない範囲で、例えば次のような変形した態様での実施が可能である。
(１)  前面板３および後面板４とは別に、棚板１２を支持する支柱状の前部支持部材と後部支持部材とを、互いに上方に向かって前後に拡開するようにしてベース１上に設ける。
(２)  突条８〜１１を、左右方向に連続するようにして設けるだけでなく、左右方向に間欠的に並べて設ける。または前面板３の後面もしくは後面板４の前面の両側部のみに設ける。
(３)  仕切板１４の片面に、棚板１５を、仕切板１４に対して直角以外の傾斜角をなすようにして立設する。
(４)  底板２に長孔を設けて、それを差し込み溝とする。
【符号の説明】
【００４０】
１  ベース
２  底板
３、２３  前面板(前部支持部材)
４、２４  後面板(後部支持部材)
５  側板
６  筐体
７  中仕切板
８〜１１、２８〜３１  突条(係合部)
８ａ、１０ａ  凹入段部
１２  上向き突部
１３  差し込み溝
１４  仕切板
１５  棚板
１６  Ｌ形金具
１７  指掛け孔
【図１】
2012161381.tif 000003
【図２】
2012161381.tif 000004
【図３】
2012161381.tif 000005
【図４】
2012161381.tif 000006
【図５】
2012161381.tif 000007
【図６】
2012161381.tif 000008
【図７】
2012161381.tif 000009
【図８】
2012161381.tif 000010
【図９】
2012161381.tif 000011